(57)【要約】【課題】原稿がそっていた場合でも搬送ローラのニップ部に対する挿入が円滑に行われるように、またプリントヘッド部等にぶつかったり、こすったりしないようにしたスキャニングホルダーを備えたスキャナユニット搭載記録装置を提供する。【解決手段】スキャニングホルダーの固着部の先端側において台紙の先端縁とカバーの先端縁とのうちの一方を、原稿が読み取り開始位置にある場合に、先端縁がスキャナ搭載記録装置の排紙ローラと拍車との間のニップ部に挟まるまで下流側に突出させ、下流側に突出させた先端縁が、排紙ローラと拍車との間のニップ部に挟まった状態から原稿の読み取りを開始するように構成し、また、スキャニングホルダーの片側の側端縁においても重ね合わせて固着し、読み取り中のインクの予備吐は、側端縁が固着されている側のみで行われるように構成する。【選択図】　　　図２
2004112421.tif 000002
【特許請求の範囲】
【請求項１】
スキャナユニットが搭載可能なキャリッジを有し、記録用紙に記録可能であり、また、スキャナユニットにより原稿を読み取り可能であるスキャナユニット搭載記録装置において、
スキャニングホルダーを設け、
該スキャニングホルダーは、
原稿読み取り時に原稿が載置される台紙と、
該台紙との間に原稿を挟み込む透明なカバーとを備え、
前記台紙及び前記カバーの端縁のうち、原稿の搬送方向に沿っての下流側に位置する端縁を先端縁としたときに、前記台紙の先端縁近傍と前記カバーの先端縁近傍とを重ね合わせて固着して固着部を設け、
該固着部の先端側において前記台紙の先端縁と前記カバーの先端縁とのうちの一方を他方よりも、原稿が読み取り開始位置にある場合に、先端縁がスキャナユニット搭載記録装置の排紙ローラと拍車との間のニップ部に挟まるまで下流側に突出させており、
前記スキャニングホルダーの下流側に突出させた先端縁が、スキャナユニット搭載記録装置の排紙ローラと拍車との間のニップ部に挟まった状態から原稿の読み取りを開始することを特徴とするスキャナユニット搭載記録装置。
【請求項２】
前記スキャニングホルダーの片側の側端縁においても、前記台紙の側端縁近傍と前記カバーの側端縁近傍とを重ね合わせて固着して固着部を設けたことを特徴とする請求項１に記載のスキャナユニット搭載記録装置。
【請求項３】
前記スキャナユニット搭載記録装置は、インクを吐出させることにより記録を行う、インクジェット方式の記録装置であることを特徴とする請求項１または請求項２に記載のスキャナユニット搭載記録装置。
【請求項４】
前記スキャナユニット搭載記録装置において、プリントヘッドのノズル固着防止のために読み取り中に行われるインクの予備吐は、スキャニングホルダーの側端縁が固着されている側のみで行われるようになっていることを特徴とする請求項１から請求項３のいずれか１項に記載のスキャナユニット搭載記録装置。
【発明の詳細な説明】
【０００１】
【発明の属する技術分野】
本発明は、例えば、画像読み取り装置において、固定配置したスキャナに対して原稿を担持搬送するのに使用するスキャニングホルダー及びシリアル方式のプリンタ（記録装置）のキャリッジ部にスキャナユニットを搭載したプリンタに関する。
【０００２】
【従来の技術】
ファクシミリ等に装着された画像読み取り装置において、スキャナを固定して原稿を移動させる方式、いわゆるシートスルー方式のものが知られている。また最近では、シリアル方式のプリンタのキャリッジ部にスキャナユニットを搭載したものもよく知られている（例えば、特許文献１参照。）。
【０００３】
このシートスルー方式においては、一般に、原稿は、搬送ローラ対のニップ部によって挟持搬送される。したがって、原稿の大きさが小さかったり、原稿の厚さが薄かったりしたときには、上述のニップ部によって原稿を円滑に搬送することができない。このような場合、スキャニングホルダーを使用する。
【０００４】
スキャニングホルダーは、例えばＡ４サイズの台紙と透明なカバーとを重ね合わせ、その１辺、すなわち使用時に先頭側（下流側）となる先端縁をそろえてその先端縁を接着や溶着によって固着したものである。
【０００５】
スキャニングホルダーの使用に際しては、台紙とカバーとの間に原稿を挟み込み、固着された側を先端としてスキャニングホルダーを搬送ローラ対のニップ部に供給し、このニップ部によりスキャニングホルダーをスキャナに搬送して、原稿画像を読み取るようにしている。
【０００６】
【特許文献１】
特開平９−１３９８１６号公報
【０００７】
【発明が解決しようとする課題】
しかしながら、上述の従来例においては、原稿がそっていた場合などに、スキャニングホルダーの先端縁がニップ部に円滑に挿入できなかったり、読み取り時に原稿のそりにより持ち上げられたスキャニングホルダーの側端部がプリントヘッド部等にぶつかったり、こすったりして不都合を感じることがあった。
【０００８】
本発明の目的は、上述の事情に鑑みてなされたものであり、原稿がそっていた場合でも搬送ローラのニップ部に対する挿入が円滑に行われるように、またプリントヘッド部等にぶつかったり、こすったりしないようにしたスキャニングホルダーを備えたスキャナユニット搭載記録装置を提供することにある。
【０００９】
【課題を解決するための手段】
本発明のスキャナユニット搭載記録装置は、
スキャナユニットが搭載可能なキャリッジを有し、記録用紙に記録可能であり、また、スキャナユニットにより原稿を読み取り可能であるスキャナユニット搭載記録装置において、スキャニングホルダーを設け、スキャニングホルダーは、原稿読み取り時に原稿が載置される台紙と、台紙との間に原稿を挟み込む透明なカバーとを備え、台紙及びカバーの端縁のうち、原稿の搬送方向に沿っての下流側に位置する端縁を先端縁としたときに、台紙の先端縁近傍とカバーの先端縁近傍とを重ね合わせて固着して固着部を設け、固着部の先端側において台紙の先端縁とカバーの先端縁とのうちの一方を他方よりも、原稿が読み取り開始位置にある場合に、先端縁がスキャナユニット搭載記録装置の排紙ローラと拍車との間のニップ部に挟まるまで下流側に突出させており、スキャニングホルダーの下流側に突出させた先端縁が、スキャナユニット搭載記録装置の排紙ローラと拍車との間のニップ部に挟まった状態から原稿の読み取りを開始する。
【００１０】
また、スキャニングホルダーの片側の側端縁においても、台紙の側端縁近傍とカバーの側端縁近傍とを重ね合わせて固着して固着部を設けてもよい。
【００１１】
また、スキャナユニット搭載記録装置は、インクを吐出させることにより記録を行う、インクジェット方式の記録装置であってもよい。
【００１２】
また、スキャナユニット搭載記録装置において、プリントヘッドのノズル固着防止のために読み取り中に行われるインクの予備吐は、スキャニングホルダーの側端縁が固着されている側のみで行われるようになっていてもよい。
【００１３】
このため、本発明においては、スキャニングホルダーの固着部の先端側において台紙の先端縁とカバーの先端縁とのうちの一方を、原稿が読み取り開始位置にある場合に、先端縁がスキャナ搭載記録装置の排紙ローラと拍車との間のニップ部に挟まるまで下流側に突出させ、前記スキャニングホルダーの下流側に突出させた先端縁が、スキャナユニット搭載記録装置の排紙ローラと拍車との間のニップ部に挟まった状態から原稿の読み取りを開始するように構成し、また、スキャニングホルダーの片側の側端縁においても重ね合わせて固着し、読み取り中のインクの予備吐は、スキャニングホルダーの側端縁が固着されている側のみで行われるように構成することにより、上記目的を達成しようとするものである。
【００１４】
【発明の実施の形態】
以下、図面に沿って、本発明の実施の形態について説明する。なお、各図面において、同一の符号を付したものは、同様の構成又は作用を有するものであり、これらについての重複説明は適宜省略するものとする。
【００１５】
＜実施の形態１＞
図１に、本発明に係るスキャニングホルダー１の斜視図を示す。同図に示すスキャニングホルダー１は、原稿Ｄが載置される台紙２とこの台紙２との間に原稿Ｄを挟み込むカバー３とを備えている。
【００１６】
このうち台紙２は、長方形（正方形を含む）のシート状の部材であり、例えば、白色のＰＥＴ（ポリエチレンテレフタレート）で形成されている。台紙の大きさは、スキャニングホルダー１が使用されるスキャナによって決定される。例えば、Ａ４サイズのものを使用することができる。台紙２の４つの端縁のうち、使用時のスキャニングホルダー１の搬送方向（矢印Ｋ方向）に向かって先頭となる端縁、すなわち搬送方向の下流側に位置する端縁を先端縁２ａとする。また、向かって右側の側端縁を２ｂとする。
【００１７】
カバー３は、上述の台紙２と同様、長方形（正方形を含む）のシート状の部材であり、例えば、透明なＰＥＴによって形成されている。
【００１８】
カバー３の４つの端縁のうち、使用時のスキャニングホルダー１の搬送方向（矢印Ｋ方向）に向かって先頭となる端縁、すなわち搬送方向の下流側に位置する端縁を先端縁３ａとする。また、向かって右側の側端縁を３ｂとする。
【００１９】
上述の台紙２とカバー３とは、それぞれの先端縁２ａ，３ａ及び側端縁２ｂ，３ｂとを重ね合わせて、先端縁２ａ，３ａ及び側端縁２ｂ，３ｂ近傍において固着されている。こうして形成された固着部４は、それぞれの先端縁２ａ，３ａ及び側端縁２ｂ，３ｂに沿って、搬送方向（矢印Ｋ方向）に直角な方向（以下「幅方向」という。）及び右側の全幅にわたって帯状に設けられている。この固着部４は、接着剤を使用した接着や、カバー３における固着部４に対応する部分を溶融させる溶着によって形成することができる。
【００２０】
本実施の形態においては、図１のＸ線矢視図である図２に示すように、固着部４の先端側において台紙２の先端縁２ａを、カバー３の先端縁３ａよりも下流側（矢印Ｋ方向）に突出させていることを特徴としている。スキャニングホルダー１全体としての先端縁１ａにおいては、台紙２とカバー３とが重ねあわされることなく、台紙２のみが存在することになる。したがって、スキャニングホルダー１全体としての先端縁１ａにおける厚さは、台紙２とカバー３との厚さを加えたものではなく、台紙２のみの厚さとすることができる。
【００２１】
図２に示すように、カバー３の先端縁３ａに対する台紙２の先端縁２ａの突出量をｔとしたときに、この突出量ｔは、原稿Ｄが読み取り位置にある場合に、台紙２の先端縁２ａが排紙ローラ２４及び拍車２７に挟まれるまでの長さがあるものとする。
【００２２】
図３に、本発明に係るスキャニングホルダー１が使用されるスキャナユニット搭載記録装置５を示す。同図は、スキャナユニット搭載記録装置５を斜め上方から見た斜視図である。なお、以下では、記録装置本体６の前後左右を、スキャニングホルダー１の搬送方向（矢印Ｋ方向）を基準として、下流側を「前」、上流側を「後」、下流側から上流側を見て左側を「左」、同じく右側を「右」と決めて説明を行う。
【００２３】
図３に示すスキャナユニット搭載記録装置５は、インクジェット方式のプリンタである。
【００２４】
スキャナユニット１１は、プリントヘッド１０と一緒にキャリッジ１２に搭載され、読み取り幅も印字幅とほぼ同じだけ確保することができるようになっている。
【００２５】
キャリッジ１２には、記録装置本体６と読み取り制御信号を送受信する接点部（不図示）があり、前記読み取り信号は接点部を介した後、フレキシブルケーブル１４を通過して記録装置本体６の画像処理部（不図示）に転送される。キャリッジ１２は、フレーム１５の左の側板１５ａと右の側板１５ｂとの間に、左右方向（スキャニングホルダー１の幅方向）に沿って設けられたスライド軸１６とスライド板１７とに沿って往復動することにより原稿Ｄの画像の読み取りを行う。記録装置本体６における左側には、ベルト（不図示）を介してキャリッジ１２を移動させる駆動モータ１８が配設されている。
【００２６】
記録装置本体６における後部には、スキャニングホルダー１を送り込むための給紙スタッカ部２０が設けてある。この給紙スタッカ部２０は、プリンタとして使用する場合は、紙等の記録材を挿入する箇所である。原稿Ｄを挟んだスキャニングホルダー１は、固着部４のある側の端縁、つまり先端縁１ａを先頭に、給紙スタッカ部２０から給紙ローラ２１によってスキャナ本体６内に給紙され、搬送ローラ（ラインフィードローラ）２２と搬送ローラ（押えローラ）２３との間に形成されるニップ部Ｎによりキャリッジ１２の下方の読み取り位置まで搬送される。さらに、キャリアシート１は、キャリッジ１２の往復動による１行分の読み取りと読取り幅分のラインフィード（下流側への搬送）を交互に繰り返えされながら、排紙ローラ２４によって排出される。
【００２７】
図４は、スキャナユニット搭載記録装置５の読み取り部と、搬送ローラとの位置関係を示す縦断面図である。
【００２８】
左右方向に往復移動するキャリッジ（不図示）に搭載されたスキャナユニット１１のセンサ読み取り部１１ａは、レンズ１１ｂ，１１ｃを介して読み取り部Ｌの読み取り画像をデータとして転送する。原稿Ｄを挟んだスキャニングホルダー１は、その先端縁１ａを先頭に給紙スタッカ部２０から搬送ローラ２２，２３間のニップ部Ｎに挿通され、プラテン部２６の上方を空中搬送されながら読み取り部Ｌを通過した後、第１の排紙ローラ２４と押え部である拍車２７まで到達する。
この時、原稿Ｄの先端行は読み取り部Ｌの位置にあり、キャリッジ１２の走行により１行目の読み取りが行われ、以下順次スキャニングホルダー１及び原稿Ｄの行送りと読み取りが続けられる。
【００２９】
ここで、図５に示すように、そった原稿Ｄをスキャニングホルダー１に入れて読み取る場合、台紙２の厚さしかなく、さらに変形を十分に吸収できる長さｔを持ったスキャニングホルダー１の先端部は、そりの影響を受けずにスムーズに排紙ローラ２４と拍車２７の間のニップ部に入ることができる。
【００３０】
また、図６に示すように、そった原稿Ｄの影響でスキャニングホルダー１の固着されていない側が持ちあがった場合でも、プリントヘッドのノズル固着防止のために読み取り中に行われる予備吐は、スキャニングホルダー１の固着されている側の吐出口３０Ｌのみで行われるため、図７に示すようにプリントヘッド１０の左右方向の動作範囲がＳのようになり、プリントヘッド１０がスキャニングホルダー１の持ちあがっている場所に行くことはないので、プリントヘッド１０やプリントヘッド１０のノズル部分１０ｎがスキャニングホルダー１にぶつかったり、こすれたりすることはない。
【００３１】
ここで、スキャニングホルダー１の側端部が固着されているのは片側だけなので、両側を固着した場合に起こる原稿Ｄのセットのしづらさといったこともない。
【００３２】
＜実施の形態２＞
図８に、実施の形態２を示す。同図は、上述の実施の形態１における図２に相当する図である。ただし、排紙ローラ２４と拍車２７は省略してある。
【００３３】
上述の実施の形態１では、原稿Ｄを下方から支持する台紙２の先端縁２ａを、原稿Ｄを上方から覆うカバー３の先端縁３ａよりも下流側に突出させる構成とした。これに対し、本実施の形態では、実施の形態１とは逆に、カバー３の先端縁３ａを台紙２の先端縁２ａよりも下流側に突出させるようにした。本実施の形態においても、実施の形態１と同様の効果をあげることができる。
【００３４】
＜実施の形態３＞
図９に、実施の形態３を示す。ここで、スキャニングホルダー１の固着部４は全幅にわたって帯状に設けられているのではなく、複数個所に分けられている。このように固着部４を複数個所に分けることにより、Ｊパスを搬送系に持った記録装置等に用いられる場合にも、曲げ部での抵抗が少なく、スムーズに搬送することができる。
【００３５】
【発明の効果】
以上説明したように、本発明によると、スキャニングホルダーの固着部を有する先端側において、台紙の先端縁とカバーの先端縁とのうちの一方を他方よりも、原稿が読み取り開始位置にある場合に、先端がスキャナ搭載記録装置の排紙ローラ部に挟まるまで下流側に突出させ、前記スキャニングホルダーの下流側に突出させた先端が、スキャナユニット搭載記録装置の排紙ローラ部に挟まった状態から原稿の読み取りを開始するように構成したことと、スキャニングホルダーの片側の側端においても重ね合わせて固着し、読み取り中のインクの予備吐は、スキャニングホルダーの側端が固着されている側のみで行われるように構成したことにより、原稿がそっていた場合でもスキャニングホルダーの搬送ローラのニップ部に対する挿入は円滑に行われ、またスキャニングホルダーにプリントヘッド部等がぶつかったり、こすったりすることもない、という効果を有する。
【図面の簡単な説明】
【図１】実施の形態１におけるスキャニングホルダーの構成を示す斜視図である。
【図２】図１のＸ線矢視図である。
【図３】本発明に係るスキャニングホルダーが使用されるスキャナユニット搭載記録装置の斜め上方から見た斜視図である。
【図４】本発明に係るスキャナユニット搭載記録装置の読み取り近傍の拡大縦断面図である。
【図５】本発明に係るスキャニングホルダーの説明図である。
【図６】本発明に係るスキャニングホルダーの説明図である。
【図７】本発明に係るスキャニングホルダー及びスキャナユニット搭載記録装置の説明図である。
【図８】実施の形態２における、図２に相当する図である。
【図９】実施の形態３における説明図である。
【符号の説明】
１　　スキャニングホルダー
１ａ　　スキャニングホルダーの先端縁
２　　台紙
２ａ　　台紙の先端縁
２ｂ　　台紙の側端縁
３　　カバー
３ａ　　カバーの先端縁
３ｂ　　カバーの側端縁
４　　固着部
５　　スキャナユニット搭載記録装置
６　　記録装置本体
１０　　プリントヘッド
１０ｎ　　ノズル部分
１１　　スキャナユニット
１１ａ　　センサ読み取り部
１１ｂ、１１ｃ　　レンズ
１２　　キャリッジ
１４　　フレキシブルケーブル
１５　　フレーム
１５ａ　　左の側板
１５ｂ　　右の側板
１６　　スライド軸
１７　　スライド板
１８　　駆動モータ
２０　　給紙スタッカ部
２１　　給紙ローラ
２２　　搬送ローラ（ラインフィードローラ）
２３　　搬送ローラ（押えローラ）
２４　　排紙ローラ
２６　　プラテン部
２７　　拍車
３０Ｌ　　吐出口（予備吐）
Ｄ　　原稿
Ｋ　　原稿の搬送方向
Ｌ　　読み取り部
Ｎ　　ニップ部
【図１】
2004112421.tif 000003
【図２】
2004112421.tif 000004
【図３】
2004112421.tif 000005
【図４】
2004112421.tif 000006
【図５】
2004112421.tif 000007
【図６】
2004112421.tif 000008
【図７】
2004112421.tif 000009
【図８】
2004112421.tif 000010
【図９】
2004112421.tif 000011